(57)【特許請求の範囲】
【請求項１】
缶容器の上端板として缶胴の開口端に巻締め固着される金属製の缶蓋において、缶蓋のパネル部の略中央にストロー差し込み用の孔部が開設され、該孔部の内縁が、缶蓋上面側にカールする外巻きのカール部に形成され、該カール部の缶蓋上面側が、その近傍のパネル部上面と略面一となるように平坦に形成されていると共に、ストローの突き刺しが可能なシール部材が、ストロー差し込み用の孔部を覆うように、カール部の缶蓋上面側とその近傍のパネル部上面とにわたって貼着されていることを特徴とするストロー差し込み可能な缶蓋。
【請求項２】
缶胴との巻締め部分となるフランジ部からカウンターシンク壁を介して内方にパネル部が続く缶蓋の、周辺部に補強用ビードが環状に形成されたパネル部で、孔部の内縁に形成されたカール部の近傍が環状の平坦部に形成され、該環状の平坦部の外縁に、シール部材の貼着位置を決めるための段部が環状に形成されていると共に、該段部が傾斜の小さい緩斜面によるものであり、カール部近傍の平坦部から補強用ビードに至るまでパネル部が平坦に近い滑らかな状態となっていることを特徴とする請求項１に記載のストロー差し込み可能な缶蓋。
【発明の詳細な説明】
【技術分野】
【０００１】
本発明は、缶詰に使用される缶容器の上端板として缶胴の開口端に巻締め固着される金属製の缶蓋に関し、特に、そのような缶詰用の缶蓋で、タブにより缶蓋を開口させるようなことなく、缶蓋にストローを直接に差し込んで缶内の内容物を飲むことができるような缶蓋に関する。
【背景技術】
【０００２】
飲料等を内容物とする缶詰では、缶容器の上端板として缶胴の開口端に巻締め固着される金属製の缶蓋として、タブの操作で缶蓋の一部を開口する開口容易缶蓋（イージーオープンエンド）が従来から広く一般的に使用されている。一方、プラスチックや複合材（紙と樹脂フィルムの積層材等）によるカップ容器では、剥がして開口するピーラブル蓋材だけでなく、飲料等を内容物とする場合には、蓋材を剥がすことなくストローを蓋材に直接突き刺して内容物を飲めるようにしたものが従来から使用されている。そのようなカップ容器に使用されるストロー差し込み可能な蓋材について、例えば、下記の特許文献１には、内容物が充填・密封されたカップ容器のボイル殺菌が可能なような蓋材の積層構造が開示されている。
【特許文献１】特開平９−３２３３７７号公報
【発明の開示】
【発明が解決しようとする課題】
【０００３】
ところで、上記のようにプラスチックや複合材によるカップ容器の分野では、ストローを直接に差し込める蓋材が従来から使用されているが、金属製の缶容器による缶詰の分野では、タブの操作で缶蓋の一部を開口する開口容易缶蓋が使用されているだけで、缶蓋に直接ストローを差し込めるようなものは未だ開発されていない。なお、カップ容器の場合には、積層構造を備えたシート状の蓋材そのものを容器口部に直接にヒートシールしているが、そのようなカップ容器用の蓋材をそのまま缶容器の缶蓋として転用するわけにはいかない。
【０００４】
本発明は、上記のような問題の解消を課題とするものであり、具体的には、缶詰に使用される金属製の缶蓋について、直接にストローを差し込んで内容物を飲めるようにすることを課題とするものである。
【課題を解決するための手段】
【０００５】
本発明は、上記のような課題を解決するために、缶容器の上端板として缶胴の開口端に巻締め固着される金属製の缶蓋において、缶蓋のパネル部の略中央にストロー差し込み用の孔部が開設され、該孔部の内縁が、缶蓋上面側にカールする外巻きのカール部に形成され、該カール部の缶蓋上面側が、その近傍のパネル部上面と略面一となるように平坦に形成されていると共に、ストローの突き刺しが可能なシール部材が、ストロー差し込み用の孔部を覆うように、カール部の缶蓋上面側とその近傍のパネル部上面とにわたって貼着されていることを特徴とするものである。
【発明の効果】
【０００６】
上記のような本発明のストロー差し込み可能な缶蓋によれば、缶詰製品の缶蓋のパネル部の略中央で孔部を覆っているシール部材にストローを突き刺すことで、ストローを缶内に差し込むことができて、缶内の内容物をストローによって飲むことができる。また、缶蓋に開設されたストロー差し込み用の孔部を覆っているシール部材は、略面一の状態で連なるカール部の缶蓋上面側とその近傍のパネル部上面とにわたって貼着されていて、缶蓋に対して強固に貼着されていることから、シール部材が缶蓋から剥離して密封性が低下するようなことはない。
【発明を実施するための最良の形態】
【０００７】
缶詰に使用される金属製の缶蓋について、直接にストローを差し込んで内容物を飲めるようにするという目的を、最良の形態として以下の実施例に具体的に示すように、缶容器の上端板として缶胴の開口端に巻締め固着される金属製の缶蓋において、缶蓋のパネル部の略中央にストロー差し込み用の孔部を開設し、該孔部の内縁を、缶蓋上面側にカールする外巻きのカール部に形成して、該カール部の缶蓋上面側を、その近傍のパネル部上面と略面一となるように平坦に形成すると共に、ストローの突き刺しが可能なシール部材を、ストロー差し込み用の孔部を覆うように、カール部の缶蓋上面側とその近傍のパネル部上面とにわたって貼着するということで実現した。
【実施例】
【０００８】
本実施例の缶蓋は、直径が約６７ｍｍである周知の缶蓋（例えば、０．１９〜０．２１ｍｍの厚さのティンフリースチール材の両面にエポキシウレア樹脂やエポキシフェノール樹脂を塗布して焼き付けた周知の材質からなるティンフリースチール製缶蓋等）をベースに製造されるものあって、図１および図２に示すように、缶蓋１では、略円板状のパネル部２の外縁からカウンターシンク壁３が立ち上がり、カウンターシンク壁３の上端から外方にカールするようにフランジ部４が形成されていて、このフランジ部４が缶胴の開口端に二重巻締めで固着されることとなる。なお、缶蓋１のパネル部２には、その周辺部（カウンターシンク壁３の近く）に補強用のビード（凸条）５が環状に形成されている。
【０００９】
そのような従来からの一般的な缶蓋の構造に加えて、更に、本実施例の缶蓋１では、パネル部２の略中央にストロー差し込み用の孔部６が開設されており、この孔部６の内縁は、缶蓋上面側にカールする外巻きのカール部７に形成されている。なお、カール部７で囲まれた孔部６の直径は約１０ｍｍ程度である。
【００１０】
そして、缶蓋１のパネル部２のうちのカール部７の近傍の部分（カール部７の外側を囲む環状の部分）は、略水平な平坦部２ａとして形成されており、カール部７の上半分（缶蓋上面側）は、この平坦部２ａの上面と略面一となるように平坦に形成されている。また、パネル部２の平坦部２ａの外縁には、シール部材９の貼着位置を決めるための段部８が環状に形成されている。この段部８は傾斜の小さい緩斜面によるものであって、そのため、カール部７の近傍の平坦部２ａから補強用ビード５に至るまでパネル部２が平坦に近い滑らかな状態で連なっている。
【００１１】
そのような缶蓋１のパネル部２の段部８で囲まれた領域には、図３に示すように、ストロー差し込み用の孔部６を缶蓋上面側から覆うように、直径が約２４ｍｍの円形のシール部材９が、カール部７の平坦な上面とパネル部２の平坦部２ａの上面とにわたって貼着されるように、ヒートシール法により缶蓋１の上面側に貼着されている。
【００１２】
このシール部材９については、ストローでの突き刺しが可能で、難剥離性のあるシール部材であれば、特に限定されるものではないが、具体的には、例えば、厚さ約５０μｍで軟質のアルミ箔の両面に、エポキシ樹脂の塗装による保護層が形成され、シール面となる一方の保護層の側に、接着層として、ポリマープレンドタイプのポリエステル樹脂にエポキシ樹脂を少量ブレンドした樹脂製で厚さが１５〜５５μｍの熱接着性フィルムがラミネートされた積層シール部材が使用できる。
【００１３】
上記のようにパネル部２の略中央に開設された孔部６をシール部材９によって覆っている本実施例の缶蓋１によれば、図４に示すように、缶蓋のパネル部２に貼着されたシール部材９にストロー１０を突き刺すことで、孔部６を通してストロー１０を缶内に差し込むことができて、缶内の内容物をストロー１０によって飲むことができる。
【００１４】
また、缶蓋１にシール部材９を貼着する際には、パネル部２に形成された段部８によりシール部材９を容易に位置合わせすることができる。そして、図３に示すように、缶蓋１の孔部６を覆っているシール部材９は、略面一に平坦化されたカール部７の平坦な上面とパネル部２の平坦部２ａの上面とにわたって貼着されて、缶蓋１に対して強固に貼着されているため、シール部材９が缶蓋１のパネル部２から剥離して密封性が低下するようなことはない。
【００１５】
なお、パネル部２に開設された孔部６をシール部材９で覆っている缶蓋１の場合、缶詰を加熱殺菌（例えば、約９８℃、３０分間の熱水シャワーによる殺菌等）するような際に、パネル部２の剛性が高く変形し難い構造であると、加熱による缶内圧の上昇によりシール部材９だけが変形することで、シール部材９の破断を招くような虞もある。
【００１６】
これに対して、本実施例の缶蓋１では、シール部材９の貼着位置を決めるための段部８をパネル部２に形成しているものの、図２に示すように、この段部８を傾斜の小さい緩斜面によるものとして、カール部７の近傍の２ａから補強用ビード５に至るまでパネル部２を平坦に近い滑らかな状態としていることで、パネル部２が剛性の低い変形し易い構造となっている。そのため、加熱による缶内圧の上昇に連れて、パネル部４がなだらかに変形して膨らむことから、シール部材９に過度の負担を与えることはなく、シール部材９が変形して破断するようなことはない。
【００１７】
以上、本発明のストロー差し込み可能な缶蓋の一実施例について説明したが、本発明は、上記のような具体的な実施例にのみ限定されるものではなく、例えば、缶蓋については、ティンフリースチールに限らず、アルミニウム合金等の他の材質によるものであっても良く、また、缶蓋のパネル部に開設する孔部の具体的な大きさや、シール部材の具体的な積層構造や大きさ等、適宜に設計変更可能なものであることはいうまでもない。
【図面の簡単な説明】
【００１８】
【図１】本発明の一実施例について、缶蓋の全体を示す上面図。
【図２】図１に示した缶蓋の右半分を示す縦断面図。
【図３】図１に示した缶蓋のストロー差し込み用の孔部の付近を示す縦断面図。
【図４】図３に示した缶蓋のストロー差し込み用の孔部にストローを挿通させた状態を示す縦断面図。
【図１】
0004698326.tif 000002
【図２】
0004698326.tif 000003
【図３】
0004698326.tif 000004
【図４】
0004698326.tif 000005